(57)【要約】【課題】部品点数を削減し、絶縁ガスを封入した絶縁空間の容積を縮小したＧＩＳを提供する。【解決手段】本発明のＧＩＳは、接地容器、電源側導体７、負荷側導体８、二極ＥＤＳ、ＶＣＴ側出力導体１Ｂ、及びＶＣＴ側入力導体１Ａで概略構成される。二極ＥＤＳは電源側導体７からＶＣＴ側入力導体１Ａへ向かう電流経路とＶＣＴ側出力導体１Ｂから負荷側導体８へ向かう電流経路を有する。より具体的には、絶縁材１７を有する二極可動接触子４、二極可動接触子４の外周側に通電するためのチューリップコンタクト２２を有する二極可動側コンタクト２、二極可動接触子４の内周側及び外周側に通電するためのチューリップコンタクト１８、２３を有する二極固定側コンタクト５、及び二極接地開閉器６を有する。二極接地開閉器６は短絡用コンタクトバンド２６、接地用コンタクトバンド２８、接地導体２７を有する。【選択図】図２
2013027226.tif 000002
【特許請求の範囲】
【請求項１】
絶縁ガスを充填した接地容器と、前記接地容器に取付けられた電源側導体及び負荷側導体と、前記電源側導体及び負荷側導体に接続された接地断路器と、前記接地断路器に絶縁レバーを介して接続された操作器と、前記接地断路器に接続されたＶＣＴ側導体から構成されるガス絶縁開閉装置において、
前記ＶＣＴ側導体はＶＣＴ側出力導体とＶＣＴ側入力導体の２つの電流経路を有し、
前記接地断路器は前記電源側導体から前記ＶＣＴ側入力導体へ向かう電流経路と前記ＶＣＴ側出力導体から前記負荷側導体へ向かう電流経路を有し、
前記接地断路器の可動接触子は中間に絶縁物を介挿した二重同心上の導体で内周側と外周側の２つの電流経路を有し、
前記接地断路器の固定側コンタクト導体は絶縁材によって電気的に絶縁された２つの電流経路を内周側と外周側に有し、前記２つの電流経路はそれぞれ前記電源側導体と前記負荷側導体に電気的に接続され、かつ前記可動接触子の内周側と外周側にそれぞれ通電するための２つのチューリップコンタクトを有し、
前記接地断路器の可動側コンタクト導体は絶縁材によって電気的に絶縁された断路側電流経路及び接地側電流経路を有し、
前記断路側電流経路は前記可動接触子の外周側に通電するためのチューリップコンタクトを有し、前記ＶＣＴ側出力導体に電気的に接続され、
前記接地側電流経路は前記可動接触子の内周側に通電するためのチューリップコンタクトを有し、前記ＶＣＴ側入力導体に電気的に接続され、
前記接地断路器の接地開閉器は絶縁材によって電気的に絶縁され、それぞれコンタクトバンドを有する２つの電流経路を、前記ＶＣＴ側入出力導体側と前記接地容器側に有し、
接地状態において前記可動接触子によって前記可動側コンタクト導体の前記ＶＣＴ側入力導体が前記ＶＣＴ側出力導体と前記ＶＣＴ側入出力導体側のコンタクトバンドを介して橋絡され、前記ＶＣＴ側入力導体と前記ＶＣＴ側出力導体をループ回路化し、かつ接地容器に電気的に接続され前記ＶＣＴ側入出力導体が接地されることを特徴とするガス絶縁開閉装置。
【発明の詳細な説明】
【技術分野】
【０００１】
本発明は、ガス絶縁開閉装置（以下、ＧＩＳという）に係り、特に絶縁ガスを封入した絶縁空間の容積を縮小できるＧＩＳに関するものである。
【背景技術】
【０００２】
ＧＩＳは、主回路を流れる事故電流を遮断する遮断器や、この事故電流遮断後に事故区間を他の健全な区間から切離すために主回路を開路する断路器や、この断路器の開路後に点検区間の主回路導体を接地する接地開閉器などを有して構成されている。
【０００３】
近年、ＧＩＳの小型化や設置面積の縮小化のために機器の複合化が行われている。例えば、断路器と接地開閉器を一体化し、共通操作器によって駆動する可動接触子を用いて断路器および接地開閉器をそれぞれ開閉操作するようにした接地断路器（以下、ＥＤＳという）が用いられている。このような従来のＥＤＳの構造が特許文献１に開示されている。
【０００４】
特許文献１には、フレームに碍子を介して取付けた円環状の保持金具と、この保持金具の内径に軸方向に摺動自在に嵌め込んだ円柱棒状の可動接触子と、この可動接触子が一端側に移動した際に可動接触子と接触する母線側固定接触子と、可動接触子が他端側に移動した際に可動接触子と接触する接地側固定接触子と、可動接触子の中央付近に摺動自在に嵌め込まれた負荷側固定接触子とを備え、可動接触子を軸方向に駆動することによって、断路器入り、断路器切り、接地開閉器入りの３位置を実現する直線形のＥＤＳが開示されている。
【０００５】
この従来のＥＤＳを適用したＧＩＳを図５に示す。図５はＧＩＳにおける一般的なＶＣＴ接続回線であり、電源側からＥＤＳ１０２Ａに入力する線路（以下、電源側線路という）、ＥＤＳ１０２ＡからＶＣＴ側へ入力する線路１０１Ａ、ＶＣＴ側からＥＤＳ１０２Ｂへ出力する線路１０１Ｂ、及びＥＤＳ１０２Ｂから負荷側に出力する線路（以下、負荷側線路という）より概略構成されている。
【０００６】
ＥＤＳ１０２Ａは操作器１０３Ａにより可動子１０４Ａが操作され、可動子１０４Ａが固定側コンタクト１０５Ａと接地開閉器１０６Ａの間を直線運動することで、断路器入り、断路器切り、及び接地開閉器入りの三位置を形成する。同様に、ＥＤＳ１０２Ｂは操作器１０３Ｂにより可動子１０４Ｂが操作され、可動子１０４Ｂが固定側コンタクト１０５Ｂと接地開閉器１０６Ｂの間を直線運動することで、断路器入り、断路器切り、及び接地開閉器入りの三位置を形成する。
【先行技術文献】
【特許文献】
【０００７】
【特許文献１】特開平６−８４４３１号公報
【発明の概要】
【発明が解決しようとする課題】
【０００８】
しかしながら、上述したような従来のＥＤＳを適用したＧＩＳは、電源側線路及び負荷側線路それぞれに、ＥＤＳ及び操作器の設置が必要であり、電源側線路をＥＤＳ１０２Ａに向けて引き回す必要が生じるため、装置全体の大型化と構成部品点数の増加が問題となっていた。
【課題を解決するための手段】
【０００９】
上記課題を解決するために本発明のＧＩＳは、絶縁ガスを充填した接地容器と、前記接地容器に取付けられた電源側導体及び負荷側導体と、前記電源側導体及び負荷側導体に接続された接地断路器と、前記接地断路器に絶縁レバーを介して接続された操作器と、前記接地断路器に接続されたＶＣＴ側導体で構成される。
【００１０】
前記ＶＣＴ側導体はＶＣＴ側出力導体とＶＣＴ側入力導体の２つの電流経路を有し、前記接地断路器は前記電源側導体から前記ＶＣＴ側入力導体へ向かう電流経路と前記ＶＣＴ側出力導体から前記負荷側導体へ向かう電流経路を有し、前記接地断路器の可動接触子は中間に絶縁物を介挿した二重同心上の導体で内周側と外周側の２つの電流経路を有し、前記接地断路器の固定側コンタクト導体は絶縁材によって電気的に絶縁された２つの電流経路を内周側と外周側に有し、前記２つの電流経路はそれぞれ前記電源側導体と前記負荷側導体に電気的に接続され、かつ前記可動接触子の内周側と外周側にそれぞれ通電するための２つのチューリップコンタクトを有する。
【００１１】
前記接地断路器の可動側コンタクト導体は絶縁材によって電気的に絶縁された断路側電流経路及び接地側電流経路を有し、前記断路側電流経路は前記可動接触子の外周側に通電するためのチューリップコンタクトを有し、前記ＶＣＴ側出力導体に電気的に接続され、前記接地側電流経路は前記可動接触子の内周側に通電するためのチューリップコンタクトを有し、前記ＶＣＴ側入力導体に電気的に接続され、前記接地断路器の接地開閉器は絶縁材によって電気的に絶縁され、それぞれコンタクトバンドを有する２つの電流経路を、前記ＶＣＴ側入出力導体側と前記接地容器側に有する。
【００１２】
更に、本発明は、接地状態において前記可動接触子によって前記可動側コンタクト導体の前記ＶＣＴ側入力導体が前記ＶＣＴ側出力導体と前記ＶＣＴ側入出力導体側のコンタクトバンドを介して橋絡され、前記ＶＣＴ側入力導体と前記ＶＣＴ側出力導体をループ回路化し、かつ接地容器に電気的に接続され前記ＶＣＴ側入出力導体が接地される。
【発明の効果】
【００１３】
本発明は、上記の構成とすることで、従来２台のＥＤＳと２台の操作器、及び電源側線路を一方のＥＤＳに向けて引き回す必要があったところを、１台のＥＤＳと１台の操作器で構成しつつ、ＥＤＳに向けて引き回す電源側線路を省略することが可能となる。これにより、ＧＩＳにおけるガス区画の縮小化、操作スペースの縮小化、構成部品点数削減の効果が得られる。またガス区画が縮小化されることにより絶縁ガス使用量の削減が可能であり、環境性能の向上につながる。
【図面の簡単な説明】
【００１４】
【図１】本発明によるＧＩＳの回線構成例を示す側面図
【図２】本発明のＧＩＳを構成するＥＤＳの閉路状態を示す詳細図
【図３】本発明のＧＩＳを構成するＥＤＳの断路状態を示す詳細図
【図４】本発明のＧＩＳを構成するＥＤＳの接地状態を示す詳細図
【図５】従来のＧＩＳの回線構成例を示す側面図
【発明を実施するための形態】
【００１５】
以下、本発明にかかるＧＩＳの１実施例を図面を用いて説明する。
【実施例１】
【００１６】
図１に本発明のＧＩＳの回路構成を示す。ここで絶縁材によって二極構造化したＥＤＳを二極ＥＤＳ、二極構造化した可動接触子を二極可動接触子４、二極構造化した接地開閉器を二極接地開閉器６、二極構造化した固定側コンタクトを二極固定側コンタクト５、二極構造化した可動側コンタクトを二極可動側コンタクト２という。二極ＥＤＳは、二極固定側コンタクト５、二極可動側コンタクト２、二極可動接触子４及び二極接地開閉器６で概略構成される。
【００１７】
二極ＥＤＳからＶＣＴへ接続する二極の導体は、ＶＣＴ側入力導体１ＡとＶＣＴ側出力導体１Ｂを絶縁板１Ｃによって一体化した往復導体１で構成される。ＶＣＴ側入力導体１Ａは二極ＥＤＳの電源側の線路に接続される。同様にＶＣＴ側出力導体１Ｂは二極ＥＤＳの負荷側の線路に接続される。
【００１８】
二極ＥＤＳの二極可動接触子４は操作器３により操作され、二極固定側コンタクト５、二極可動側コンタクト２、及び二極接地開閉器６との間で断路器入り、断路器切り、接地開閉器入りの３つの状態を二極同時に形成する。二極固定側コンタクト５と接続する負荷側導体８及び電源側導体７はそれぞれスペーサー９、１０に一体に設けられた貫通導体に接続される。
【００１９】
次に、図２に基づいて二極ＥＤＳの詳細を説明する。ＶＣＴ側入力導体１Ａは平導体１１によって二極ＥＤＳのコンタクト導体１３に電気的に接続される。このコンタクト導体１３にはチューリップコンタクト１４が内蔵されている。チューリップコンタクト１４は、二極可動接触子４の可動接触子内周導体１５から、二極固定側コンタクト５に内蔵されているチューリップコンタクト１８によって電源側導体７に電気的に接続される。
【００２０】
二極可動接触子４は、絶縁材１７によって、可動接触子内周導体１５と可動接触子外周導体１６が絶縁された構造を有する。また、二極可動接触子４は絶縁レバー２５を介して操作器３の駆動力で操作される。
【００２１】
一方、ＶＣＴ側出力導体１Ｂは平導体１２によってコンタクト導体２１に接続される。コンタクト導体２１にはチューリップコンタクト２２が取付けられており、可動接触子外周導体１６によって二極固定側コンタクト５に内蔵されているチューリップコンタクト２３を介し負荷側導体８に接続される。
【００２２】
電源側導体７と負荷側導体８は絶縁材１９によって絶縁される。また、コンタクト導体１３とコンタクト導体２１は絶縁材３０により絶縁される。このような構成により、ＶＣＴ側入力導体１Ａから平導体１１、コンタクト導体１３、チューリップコンタクト１４、可動接触子内周導体１５を経てチューリップコンタクト１８を介して電源側導体７に至る回路と、ＶＣＴ側出力導体１Ｂから平導体１２、コンタクト導体２１、チューリップコンタクト２２、可動接触子外周導体１６を経てチューリップコンタクト２３を介して負荷側導体８に至る回路が電気的に独立して形成される。
【００２３】
次に接地回路の具体的構成について説明する。二極接地開閉器６は、絶縁材２９と、その中に取付けた短絡用コンタクトバンド２６、導体２０、接地用コンタクトバンド２８、接地導体２７及び接地線３３とで構成される。導体２０は絶縁材３１、３２によりコンタクト導体１３と絶縁される。
【００２４】
図４に示す接地状態においては、ＶＣＴ側入力導体１ＡとＶＣＴ側出力導体１Ｂは、ＶＣＴ側入力導体１Ａ、平導体１１、コンタクト導体１３、チューリップコンタクト１４、可動接触子４の可動接触子内周導体１５、短絡用コンタクトバンド２６、導体２０、２４、コンタクト導体２１、平導体１２、ＶＣＴ側出力導体１Ｂで形成される通電ルートにより短絡される。
【００２５】
そして短絡した状態で可動接触子内周導体１５が接地導体２７に内蔵されている接地用コンタクトバンド２８に電気的に接続することにより、ＶＣＴ側入力導体１ＡとＶＣＴ側出力導体１Ｂを同時に接地する。これによりＶＣＴの残留電荷が接地される。
【００２６】
以下、図２〜図４に基づき本発明の二極ＥＤＳの動作及び電流経路を説明する。図２に示す断路器入りの状態においては、二極可動接触子４がチューリップコンタクト１４と１８、チューリップコンタクト２２と２３をそれぞれ橋絡する位置にある。
【００２７】
図２における電流経路は以下のとおりである。電源側の電流経路、すなわち、電源側導体７からＶＣＴに至る電流経路は、電源側導体７、チューリップコンタクト１８、可動接触子内周導体１５、チューリップコンタクト１４、コンタクト導体１３、平導体１１、ＶＣＴ側入力導体１Ａに至る回路により形成される。
【００２８】
一方、負荷側の電流経路、すなわち、ＶＣＴから負荷側導体８に至る電流経路は、ＶＣＴ側出力導体１Ｂ、平導体１２、コンタクト導体２１、チューリップコンタクト２２、可動接触子外周導体１６、チューリップコンタクト２３、負荷側導体８に至る回路により形成される。
【００２９】
従って、電源側から供給された電流は、可動接触子内周導体１５を通り、ＶＣＴ側に流れ、ＶＣＴ側から戻ってきた電流は可動接触子外周導体１６を経て負荷側に供給される。
【００３０】
図３は、二極ＥＤＳが断路器切りの状態を示している。図３は、図２の状態から絶縁レバー２５が操作器３により時計周りに３０度程度駆動された状態である。この状態では、二極可動接触子４がチューリップコンタクト１８及びチューリップコンタクト２３並びに短絡用コンタクトバンド２６及び接地用コンタクトバンド２８に接触しない位置にある。
【００３１】
すなわち、図３では、ＶＣＴ側入力導体１Ａ及びＶＣＴ側出力導体１Ｂが電源側導体７及び負荷側導体８から切離された状態となっているが、ＶＣＴ側入力導体１ＡとＶＣＴ側出力導体１Ｂは接地されていない状態にある。
【００３２】
図４は、二極ＥＤＳが二極接地開閉器入りの状態を示している。図４は、図３の状態から絶縁レバー２５が操作器３により時計周りに更に３０度程度駆動された状態である。この状態では、二極可動接触子４の可動接触子内周導体１５がチューリップコンタクト１４と短絡用コンタクトバンド２６及び接地用コンタクトバンド２８に電気的に接続している。
【００３３】
図４における電流経路は以下のとおりである。ＶＣＴ側入力導体１Ａからの電流経路は、ＶＣＴ側入力導体１Ａ、平導体１１、コンタクト導体１３、チューリップコンタクト１４、可動接触子内周導体１５を経て接地用コンタクトバンド２８を介して接地導体２７に至る。ＶＣＴ側出力導体１Ｂからの電流経路は、ＶＣＴ側出力導体１Ｂ、平導体１２、コンタクト導体２１、導体２４、導体２０を経て短絡用コンタクトバンド２６から可動接触子内周導体１５を介し、接地用コンタクトバンド２８から接地導体２７に至る。
【００３４】
以上のとおり、本発明に係る二極ＥＤＳにより、従来２台のＥＤＳと２台の操作器、及び電源側線路を一方のＥＤＳに向けて引き回す必要があったところを、１台のＥＤＳと１台の操作器で構成しつつ、ＥＤＳに向けて引き回す電源側線路を省略することが可能となる。
【００３５】
これにより、図１と図５を対比すると明らかなように、導体の配線スペースが削減され、ＧＩＳのコンパクト化及び部品点数の削減効果が得られる。またＧＩＳのガス区画が縮小化されることにより絶縁ガス使用量が削減可能であり、環境性能の向上につながる。
【符号の説明】
【００３６】
１      往復導体
１Ａ    ＶＣＴ側入力導体
１Ｂ    ＶＣＴ側出力導体
１Ｃ    絶縁板
２      二極可動側コンタクト
３      操作器
４      二極可動接触子
５      二極固定側コンタクト
６      二極接地開閉器
７      電源側導体
８      負荷側導体
９、１０      スペーサー
１１、１２    平導体
１３、２１    コンタクト導体
１４、１８、２２、２３    チューリップコンタクト
１５    可動接触子内周導体
１６    可動接触子外周導体
１７、１９、２９、３０、３１、３２    絶縁材
２０、２４    導体
２５    絶縁レバー
２６    短絡用コンタクトバンド
２７    接地導体
２８    接地用コンタクトバンド
【図１】
2013027226.tif 000003
【図２】
2013027226.tif 000004
【図３】
2013027226.tif 000005
【図４】
2013027226.tif 000006
【図５】
2013027226.tif 000007